(57)【要約】【課題】従来の遠隔監視システムでは、サーバ・コンピュータ、モデム、管理・保守用コンピュータといった装置が必要となり、結果として構築されたシステムはいずれも高価で大掛かりなものであった。【解決手段】電子メールの送受信部および作成部を有する携帯電話機Ａと、それにシリアル接続された監視制御装置（マイコン）１３とで構成される。監視制御装置１３が、電子メールの送受信を監視制御するメール監視制御手段２９と、メールに含まれる指令を解析する指令解析手段３１と、電子メールの指令や予め設定された指令に従って監視等対象物を監視制御する対象物監視制御手段３３と、受信した電子メールの指令等に従って監視等対象物の監視や制御状態の情報の電子メールを作成する監視等情報メール作成手段３５とを備えており、携帯電話機Ａをシリアル制御することでメールを介して遠隔監視制御を実現する。【選択図】        図１
2006303934.tif 000002
【特許請求の範囲】
【請求項１】
通信回線ネットワークに接続され、電子メール送受信部および電子メール作成部を有する携帯電話機と、前記携帯電話機とシリアル接続された監視制御装置とで構成される携帯電話機を利用した遠隔監視システムであって、
前記監視制御装置が、電子メールの送受信を監視制御するメール監視制御手段と、メールに含まれる指令を解析する指令解析手段と、受信した電子メールの指令や予め設定された指令に従って監視等対象物を監視制御する対象物監視制御手段と、受信した電子メールの指令や予め設定された指令に従って監視等対象物の監視や制御状態の情報の電子メールを作成する監視等情報メール作成手段とを備えており、前記監視制御装置が前記携帯電話機の各部の機能をシリアル制御することで遠隔監視制御を実現したことを特徴とする遠隔監視システム。
【請求項２】
請求項１に記載した携帯電話機を利用した遠隔監視システムにおいて、さらに、携帯電話機はカメラ部を有することを特徴とする遠隔監視システム。
【請求項３】
請求項１または２に記載した携帯電話機を利用した遠隔監視システムにおいて、さらに、監視制御装置はタイマを備えることを特徴とする遠隔監視システム。
【請求項４】
請求項１から３のいずれかに記載した携帯電話機を利用した遠隔監視システムにおいて、携帯電話機による電子メールの送受信により遠隔監視制御を受けることを特徴とする遠隔監視システム。
【請求項５】
請求項４に記載した携帯電話機を利用した遠隔監視システムにおいて、電子メールの本文及び／または題名に文字形式の指令が記載されていることを特徴とする遠隔監視システム。
【請求項６】
請求項１から５のいずれかに記載した携帯電話機を利用した遠隔監視システムの監視制御装置における各手段の機能をマイコンにより実行させるためのプログラム。
【発明の詳細な説明】
【技術分野】
【０００１】
本発明は、遠隔地にある対象物（以下、「監視等対象物」と記載する）の監視や制御を行う遠隔監視システムに係り、特に、市販の携帯電話機を利用して簡易に構成した遠隔監視システムに関するものである。
【背景技術】
【０００２】
従来の遠隔監視システムは、図８に示すように、監視制御用マイコンがサーバ・コンピュータやモデムを介して携帯電話機と接続されており、サーバ・コンピュータやモデムを介して情報や指令の送受信を行うことで遠隔監視制御を実現していた。
【０００３】
【特許文献１】特開２００５−９４０７６号公報
【発明の開示】
【発明が解決しようとする課題】
【０００４】
従来の遠隔監視システムでは、上記したように、サーバ・コンピュータ等を介して監視制御用マイコンに情報や指令の送受信を行っていたので、サーバ・コンピュータ、モデム、管理・保守用コンピュータといった装置が必要となり、結果として構築されたシステムはいずれも高価で大掛かりなものであった。
それ故、本発明は、簡易で安価な、新規構成の遠隔監視システムを提供することを目的とする。
【課題を解決するための手段】
【０００５】
上記課題を解決するために、請求項１の発明は、通信回線ネットワークに接続され、電子メール送受信部および電子メール作成部を有する携帯電話機と、前記携帯電話機とシリアル接続された監視制御装置とで構成される携帯電話機を利用した遠隔監視システムであって、前記監視制御装置が、電子メールの送受信を監視制御するメール監視制御手段と、メールに含まれる指令を解析する指令解析手段と、受信した電子メールの指令や予め設定された指令に従って監視等対象物を監視制御する対象物監視制御手段と、受信した電子メールの指令や予め設定された指令に従って監視等対象物の監視や制御状態の情報の電子メールを作成する監視等情報メール作成手段とを備えており、前記監視制御装置が前記携帯電話機の各部の機能をシリアル制御することで遠隔監視制御を実現したことを特徴とする遠隔監視システムである。
【０００６】
請求項２の発明は、請求項１に記載した携帯電話機を利用した遠隔監視システムにおいて、さらに、携帯電話機はカメラ部を有することを特徴とする遠隔監視システムである。
【０００７】
請求項３の発明は、請求項１または２に記載した携帯電話機を利用した遠隔監視システムにおいて、さらに、監視制御装置はタイマを備えることを特徴とする遠隔監視システムである。
【０００８】
請求項４の発明は、請求項１から３のいずれかに記載した携帯電話機を利用した遠隔監視システムにおいて、携帯電話機による電子メールの送受信により遠隔監視制御を受けることを特徴とする遠隔監視システムである。
【０００９】
請求項５の発明は、請求項４に記載した携帯電話機を利用した遠隔監視システムにおいて、電子メールの本文及び／または題名に文字形式の指令が記載されていることを特徴とする遠隔監視システムである。
【００１０】
請求項６の発明は、請求項１から５のいずれかに記載した携帯電話機を利用した遠隔監視システムの監視制御装置における各手段の機能をマイコンにより実行させるためのプログラムである。
【発明の効果】
【００１１】
本発明の遠隔監視システムによれば、監視制御装置が携帯電話機のメール送受信機能を利用して監視制御指令の受取り及び必要な情報の提供を行っているので、市販の携帯電話機と、シリアル入出力インターフェイスを付加した安価なマイコンと、それらを繋ぐシリアル通信ケーブルを準備するだけでシステムを構築できる。
【発明を実施するための最良の形態】
【００１２】
本発明の実施の形態に係る遠隔監視システム１のイメージ構成を図１、図２に示す。
携帯電話機Ａは、機能として、電子メール送受信部５と、電子メール作成部７と、カメラ部９と、シリアルデータの送受信用のシリアル入出力インターフェイス１１とを備えており、無線通信網を介してインターネット２と接続されており、同様の機能を有する携帯電話機Ｂとの間で電子メールの送受信が可能となっている。
監視制御装置としての監視制御用マイコン１３は、マイコンで構成されており、ＣＰＵ１５と、ワークエリアとしてのＲＡＭ（内部メモリ）１７と、遠隔監視制御プログラム（専用のアプリケーションプログラム）および制御データを記憶しているＲＯＭ等の外部メモリ１９と、タイマ２１と、シリアルデータの送受信用のシリアル入出力インターフェイス２３と、監視等対象物やセンサなどに接続する入出力インターフェイス２５を備えている。入出力インターフェイス２５には、アナログ情報、ポート入出力情報、リレー出力用のポートが複数設けられている。
【００１３】
ＣＰＵ１５は、専用の遠隔監視制御プログラム（アプリケーションプログラム）とＯＳの手順に従って各部を制御したり、演算処理を行うことで、後述の各手段を機能として実現させている。
携帯電話機Ａのシリアル入出力インターフェイス１１と監視制御用マイコン１３のシリアル入出力インターフェイス２３は、ＲＳ２３２Ｃ、ＲＳ４２２，ＲＳ４８５等の汎用シリアル通信ケーブル２７で接続されている。
【００１４】
監視制御用マイコン１３のＲＯＭ１９に記憶されている遠隔監視制御プログラムは、上記したハード構成を利用して以下の各手段を機能として実行するものである。
図２に示す遠隔監視制御プログラムに従って、各手段毎に説明すると、先ず、メール監視制御手段２９は電子メールの送受信を監視制御するものである。メール監視制御手段２９は、電子メールの受信監視のために、タイマ２１で定まる周期毎に、監視制御用マイコン１３側から携帯電話機Ａにシリアル信号を送信して携帯電話機Ａの電子メール送受信部５を制御する。具体的には、監視制御用マイコン１３側からのシリアル信号の送信により、携帯電話機Ａを手動で操作した場合と同様に、センターに問合せをして受信メールを取得する。そして、メールが有った場合にはユーザ要求（指令内容）をシリアル信号として転送して、指令解析手段３１に渡す。
また、後述する監視等情報メール作成手段３５により電子メールが作成されたときにも、監視制御用マイコン１３側から携帯電話機Ａにシリアル信号を送信して携帯電話機Ａの電子メール送受信部５を制御してそのメールを送信する。
【００１５】
指令解析手段３１は、メールに含まれる指令（コマンド）を予め登録された指令データファイル３２を参照しながら解析する。
対象物監視制御手段３３は、予め遠隔監視制御プログラムで設定された指令や指令解析手段３１から提供された指令に従って監視等対象物を監視・制御するものである。制御・監視信号は入出力インターフェイス２５の各ポートに接続された信号線を介して監視等対象物の制御回路に送信されて制御を行う。また、対象物監視制御手段３３は、信号線を介して監視や制御状態の情報を受取る。
一例としては、化学工場における廃水液濃度（アナログ信号）、廃水液濃度異常（デジタル信号）、廃水タンクの液面の上限（接点信号）などの状態監視信号や、廃水ポンプの駆動や電磁弁の開閉（リレー出力）の制御信号があげられる。
なお、監視画像の取得・送信指令を受取ったときには、後述するように携帯電話機Ａにシリアル信号を送信してカメラ部９を制御して画像を取得する。
【００１６】
監視等情報メール作成手段３５は、受信した電子メールの指令や予め設定された指令に従って監視等対象物の監視や制御状態の情報の電子メールを作成するものであり、監視制御用マイコン１３から携帯電話機Ａにシリアル信号を送信して携帯電話機Ａの電子メール作成部７を制御してメールを作成する。具体的には、監視制御用マイコン１３側からのシリアル信号の送信により、携帯電話機Ａを手動で操作した場合と同様に電子メールを作成する。
画像を添付するか否かに対応していずれかのメール作成画面が表示され、先ず、メールアドレスが入力される。監視制御用マイコン１３が自発的に監視等を行ったときには、予め登録されたアドレス帳から電子メールの内容毎に指定された１つまたは複数のメールアドレスを選択・入力してメールの宛先とする。ユーザからの監視等の要求で監視制御用マイコン１３が監視等を行ったときには、そのユーザのメールアドレスを返信先とする。なお、ユーザが本文にメールアドレスを記載しておけば、その本文に記載されたメールアドレスを返信先とする。例えば、別のユーザの携帯電話機Ｃ（図示省略）のメールアドレスを記載しておけば、返信先は携帯電話Ｂではなく、携帯電話機Ｃとなる。
【００１７】
次に、題名と本文が入力される。監視制御用マイコン１３側は予め作成されている文字形式変換データを含むメール作成データファイル３６を参照しながら監視情報等に対応したシリアル信号を生成・送信すると、この例では、題名には異常内容が記載され、本文には対象の監視情報や制御状態が記載される。
また、監視画像の取得・送信指令を受取ったときには、この段階で、携帯電話機Ａにシリアル信号を送信してカメラ部９を動作させて画像を取得して、メールに添付する。
メールの作成を終了すると、処理を終了する。
【００１８】
以下、処理手順をフローチャートに従って説明する。
（自発処理）（図３）
処理がスタートすると、対象物監視制御手段３３が、予め遠隔監視制御プログラムで設定された指令に従ってタイマ２１で定まる周期毎に（ステップＳ１）、監視等対象物を監視制御する（ステップＳ２）。
そして、監視等の情報を報告する必要があるか否かを判断基準データファイル（図示省略）に照らして判断して報告要を判断した場合には、即ち異常報告処理時には（ステップＳ３）、監視等情報メール作成手段３５が携帯電話機Ａの電子メール作成部７を制御してメールを作成する（ステップＳ４）。
【００１９】
監視画像を添付する必要が無い場合には、一例の図５に示すように、メール作成画面が先ず表示され、携帯電話機Ａのメール作成メニューからメールグループが選択されてメールアドレスが入力された後にメール作成画面が表示される（Ａ−１〜Ａ−４）。そして、題名には異常内容が記載され、本文には対象の監視情報や制御状態が記載されてメール作成が終了する（Ａ−５〜Ａ−６）。この例では、廃水処理設備の遠隔監視制御を目的としており、廃水タンク液面の上限異常が記載されている。
メール作成が終了すると、メール監視制御手段２９が携帯電話機Ａの電子メール送受信部５を制御して、作成したメールが送信される（ステップＳ５）。
メールが送信されると（Ａ−７）、ユーザは携帯電話機Ｂを手で操作することによりそのメールを受信して、メールを読むことで異常内容を認識できる（Ｂ−１〜Ｂ−２）。
【００２０】
監視画像を添付することが必要な場合には、一例の図６に示すように、画像送信可能なメール作成画面が表示されて作成モードに入ったところで、対象物監視制御手段３３がカメラ部９を制御してカメラ画像が取得・添付された後に（Ａ−１〜Ａ−３）、図５と同様にメールアドレス、題名が入力されてメールが作成される（Ａ−４〜Ａ−７）。この例では、飼主の留守中のペットの監視を目的としており、題名にシステムの名称が記載されている。
図５と同様にメール送信されると（Ａ−８）、飼主であるユーザは携帯電話機Ｂを手で操作することによりそのメールを受信して、メールの本文に添付された監視画像のＵＲＬにアクセスして監視画像を閲覧できる（Ｂ−１〜Ｂ−４）。
【００２１】
（ユーザ要求による処理）（図４）
処理がスタートすると、上記した自発処理と並行してユーザ要求による処理が行われる。
ユーザが携帯電話機Ｂを操作して制御要求および制御状態の情報の要求を題名に入力したメールを一例の図７に示すように作成して送信する（Ｂ−１）と、メール監視制御手段２９が、予め遠隔監視制御プログラムで設定された指令に従ってタイマ２１で定まる周期毎に携帯電話機Ａの電子メール送受信部５を制御して、センター問い合わせを行い（Ａ−１）、ユーザ要求のメールを取得する（ステップＳ１１）。メールが届いていたら読み出して（Ａ−２）、指令を解析する（ステップＳ１２）。
【００２２】
この例では、題名：Ｉ０Ｔ０Ｏ８、（Ｉ（０：画像の要求有り、１：無し）、Ｔ（０：監視や制御状態の情報の要求有り、１：無し）、Ｏ（１でＣＨ０、２でＣＨ１、４でＣＨ２、８でＣＨ３のリレー出力ＯＮ））と記載されて、制御要求「廃水処理設備のポンプを駆動（ＣＨ３）するリレー出力をＯＮにする」と、制御状態情報の要求が表示されている。
そして、解析した指令の内容に従って、対象物監視制御手段３３が監視等対象物を監視・制御する（ステップＳ１３）。
【００２３】
ユーザ要求が報告を求めている場合、或いは監視や制御状態の情報を報告する必要があるか否かを判断基準データファイル（図示省略）に照らして判断して報告要を判断した場合には（ステップＳ１４）、即ち異常報告処理時には、監視等情報メール作成手段３５が電子メール作成部７を制御して、図５や図６と同様に、メール作成がなされて（ステップＳ１５）、そのユーザ宛に返信される（ステップＳ１６）。なお、上記した場合と同様に、ユーザが本文にメールアドレスを記載しておけば、その本文に記載されたメールアドレスを返信先とする。例えば、別のユーザの携帯電話機Ｃ（図示省略）のメールアドレスを記載しておけば、返信先は携帯電話Ｂではなく、携帯電話機Ｃとなる。
従って、ユーザは携帯電話機Ｂを手で操作することによりそのメールを受信して、メールを読むことで監視や制御状態等を認識できる（Ｂ−２〜Ｂ−３）。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、携帯電話機Ａ，Ｂは、インターネット対応のものに限定されず、ＰＨＳのような簡易電話機も含まれる。
また、ユーザ側の通信端末は携帯電話機Ｂに限定されず、パーソナルコンピュータ（ＰＣ）等でもよい。
さらに、実施の形態のシステムは、株式会社エヌ・ティ・ティ・ドコモのｉモード及びｉショット機能付きの携帯電話機を利用して構成されているが、上記特定の会社のものに限定されず、各会社のものを利用できることは言うまでもない。
【産業上の利用可能性】
【００２５】
本発明の遠隔制御システムによれば、市販の携帯電話機と、シリアル入出力インターフェイスを付加した安価なマイコンと、それらを繋ぐシリアル通信ケーブルを準備するだけでシステムを構築できるので、安価で経済的である。さらに、小型化も図れる。従って、ユーザの負担を軽減することができる。
【図面の簡単な説明】
【００２６】
【図１】本発明の実施の形態に係る携帯電話機を利用した遠隔監視システムのイメージ構成図である。
【図２】遠隔監視制御プログラムの論理的構成図である。
【図３】自発処理のフローチャートである。
【図４】ユーザ要求による処理のフローチャートである。
【図５】異常等報告時（監視画像無し）の携帯電話機Ａ、Ｂの画面である。
【図６】異常等報告時（監視画像有り）の携帯電話機Ａ、Ｂの画面である。
【図７】ユーザの要求時の携帯電話機Ａ、Ｂの画面である。
【図８】従来の遠隔監視システムのイメージ構成図である。
【符号の説明】
【００２７】
１‥‥携帯電話機を利用した遠隔監視システム      ２‥‥インターネット
Ａ‥‥携帯電話機
５‥‥電子メール送受信部          ７‥‥電子メール作成部
９‥‥カメラ部                  １１‥‥シリアル入出力インターフェイス
Ｂ‥‥携帯電話機
１３‥‥監視制御用マイコン        １５‥‥ＣＰＵ
１７‥‥ＲＡＭ                    １９‥‥ＲＯＭ
２１‥‥タイマ                    ２３‥‥シリアル入出力インターフェイス
２５‥‥入出力インターフェイス
２７‥‥シリアル通信ケーブル
２９‥‥メール監視制御手段        ３１‥‥指令解析手段
３２‥‥指令データファイル        ３３‥‥対象物監視制御手段
３５‥‥監視等情報メール作成手段  ３６‥‥メール作成データファイル
【図１】
2006303934.tif 000003
【図２】
2006303934.tif 000004
【図３】
2006303934.tif 000005
【図４】
2006303934.tif 000006
【図５】
2006303934.tif 000007
【図６】
2006303934.tif 000008
【図７】
2006303934.tif 000009
【図８】
2006303934.tif 000010